(57)【要約】【課題】今までにない斬新なデザインの遊戯用コインを提供する。【解決手段】表面に見る角度によって見え隠れする潜像加工１２を施した遊戯用コイン１０である。潜像加工１２は、凸条１２ａの両斜面に設けても、一方の斜面でもよい。また、その潜像ｅ、ｆは、遊技場の店名等の文字、ロゴ、模様、図形等の図柄が考えられる。店名等の識別潜像であれば、真偽の識別標識とすることができる。このコイン１０では、例えば、上斜めから見た場合には、図（ｂ）に示すように、その潜像加工１２したエリアに「クローバ模様」ｅの図柄が見え、下斜めから見た場合には、「音符模様」ｆの図柄が見える。潜像加工１２の部分は、中央の円形としたり、同四角形としたり、同菱形としたり、同楕円形としたり等の各種の形状とし得る。また、店名の一文字、例えば、「Ｏ」の文字の中とし得る。潜像加工部分を別の部材とし得る。すなわち、バイメタルコインとし得る。【選択図】図１ｃ
2009189479.tif 000002
【特許請求の範囲】
【請求項１】
表面に、見る角度によって見え隠れする遊技場の店名等の文字、模様等からなる図柄の潜像加工（１２）を施したことを特徴とする遊戯用コイン。
【請求項２】
２つ以上の金属製部材（２１、２２、４１、４２）から成り、その各部材（２１、４１）は、その１つの部材（２２、４２）に嵌め込まれて一体になっていることを特徴とする遊戯用コイン。
【請求項３】
周側面に遊技場の店名等の文字、模様等からなる図柄の刻印（３１、４５）を施したことを特徴とする遊戯用コイン。
【発明の詳細な説明】
【技術分野】
【０００１】
この発明は、ゲームセンター等の遊技場で使用する新規な遊戯用コインに関するものである。
【背景技術】
【０００２】
従来の遊戯用コインは、平板円盤の表裏面に各種の模様や店名文字を刻印したものが一般的であり、その文字、模様を成す凹凸部において、その側面を傾斜させて輝きを増したものがある（特許文献１参照）。
また、各コインの種別（真偽）のために、コイン中に識別子を埋め込んだものもある（特許文献２参照）。
【特許文献１】意匠登録第１２６４９７５号公報
【特許文献２】特開２００３−１２６５３５号公報
【発明の開示】
【発明が解決しようとする課題】
【０００３】
今日、スロットマシン等のホール（店）では、他店舗コイン及び偽造コインなどの不正使用が顕著に増加傾向にある。このため、自店舗の営業保守、他店（他店舗コイン）との峻別のため、遊戯用コインにおいても、デザインの斬新さ等が要求され、上記輝きを持たせたコインはそれなりの評価を得ている。
しかし、技術の均一化する今日、同一の技術（デザイン）では、価額競争となり、遊戯用コインメーカーもその競争によって疲弊する。
【０００４】
この発明は、このような状況の下、独自の新加工技術と既存技術を応用する事により、今までにない斬新なデザインと遊戯用コインを提供することを課題とする。
【課題を解決するための手段】
【０００５】
上記課題を達成するために、この発明の一手段は、表面に、見る角度によって見え隠れする遊技場の店名等の文字、模様等からなる図柄の潜像加工を施した遊戯用コインとしたのである。
【０００６】
コインの潜像加工は、我国の５００円硬貨が有名であり、コイン表面に形成した無数の線により、見る角度によって起こる明暗の差を利用して、像を見え隠れさせる加工法であり、今日では、微細な窪み、又は盛上がりを集合させることによって、多様な模様（図柄）表現を行うと共に、潜像を多彩かつ滑らかに変化させ、グラデーション化させたものもある。
このような潜像加工された遊戯用コインは、斬新さが有り、顧客の注意を惹く物である。
潜像加工される図柄は、文字、各種の模様、図形等が全て含まれ、それらの少なくとも１つで構成される。
【０００７】
また、上記課題を達成するために、この発明の他の手段は、２つ以上の金属製部材から成り、その各部材は、その１つの部材に各種の形状で嵌め込まれて一体になっている遊戯用コインとしたのである。
【０００８】
例えば、ユーロ圏において流通している１ユーロ硬貨、２ユーロ硬貨等、例えば、１ユーロ硬貨でいうと、外側は、銅：７５％、亜鉛：２０％、ニッケル：５％の合金、内側が、銅：７５％、ニッケル：２５％の合金からなる。これらの硬貨は、一方の部材に他方の部材を押し嵌めたものであって、丸以外（例えば、四角）の形状も含めて遊戯用コインに転用すれば、従来になかった斬新なものとなる。このため、このような２つ以上の金属製部材から成り、その各部材は、その１つの部材に嵌め込まれて一体になっている遊戯用コインは、顧客の注意を惹く物である。
また、１つの部材に嵌め込まれて一体になっているコインであると、各部材に異なるメッキ、造形等の各種の処理を別々に施す必要がある場合においても、その各処理を施した後、一体にすれば良い利点がある。
【０００９】
さらに、上記課題を達成するために、この発明の他の手段は、周側面に遊技場の店名等の文字、模様等の図柄の刻印を施した遊戯用コインとしたのである。
【００１０】
この周側面に文字、ギザギザ等の模様等の図柄を刻印した硬貨としては、上記潜像加工と同様に、我国の５００円硬貨が有名であり、遊戯用コインの周側面に遊技場の店名等の文字、模様等の図柄を刻印すれば、その遊戯用コインは、上記潜像加工した遊戯用コイン、異なる金属部材からなる遊戯用コインと同様に、従来なかった遊戯用コインとなり、また、同様に顧客の注意を惹く物となる。
【００１１】
以上の潜像加工、異なる金属、周側面への図柄の刻印はそれぞれを選択的に併用することができる。例えば、潜像加工、異なる金属、周側面への文字等の刻印の全てを採用した遊戯用コインとしたり、前二者の潜像加工、異なる金属を採用した遊戯用コインとしたりすることができる。
【発明の効果】
【００１２】
以上のように、この発明に係る遊戯用コインは、従来なかった斬新なものとなり、他店舗コインとの峻別（他店舗コインの不正使用）、偽造コインの不正使用等を防ぐための遊戯用コインとして、新たな顧客吸引力を有するものとなる。
【発明を実施するための最良の形態】
【００１３】
図１ａ〜同１ｄには、真鍮からなり、潜像加工を施した遊戯用コイン１０の各実施例を示し、図１ａ（ａ）の遊戯用コイン１０は、その表面の各文字１１は凸状とされ、その各文字１１を成す一部分に潜像加工１２を施し、外縁に凸状の輪郭１３を形成したものである。
その潜像加工１２は、従来と同様に、断面三角形状の各凸条１２ａの両方の斜面に凹凸を統一的に加工して、その加工方向から見た場合には、その統一加工した像が確認できるようにする（潜像が浮き上がるようにする）。この遊戯用コイン１０は潜像加工１２が消失しない限りにおいて、ニッケルメッキ等の各種表面処理を行ってもよい。
【００１４】
その潜像加工１２は、凸条１２ａの両斜面に設けても、一方の斜面だけでもよい。また、その潜像加工１２は、斬新であって他に類を見ないため、真偽の識別標識とすることができる。特に、店名を潜像とすれば、より確実な識別標識となる。
【００１５】
この実施例では、上斜めから見た場合には、同図（ｂ）に示すように、その潜像加工１２を行ったエリアに「上下方向３本の帯」ａが見え、同図（ｃ）に示すように，下斜めから見た場合には、「半月」ｂが見える。
【００１６】
図１ｂ（ａ）に示す遊戯用コイン１０は、中央に潜像加工１２を施したものであり、この潜像加工１２の外縁は、図示のように、円形としたり、四角形としたり、菱形としたり、楕円形としたり等と各種の形状とし得る。その潜像も、店名、ロゴ、模様等の各種の図柄と任意である。
【００１７】
その潜像加工１２の周囲には、この潜像コインであることを表示する「ＳＬＩＴ」の凸状文字１１、店名、星１１ａの図形等を刻印すると良い。上記と同様に、店名等の識別潜像であれば、真偽の識別標識とすることができる。
この実施例では、上斜めから見た場合には、同図（ｂ）に示すように、その潜像加工１２を行ったエリアに「半月」ｃの図形が見え、同図（ｃ）に示すように、下斜めから見た場合には、「ＴＯＫＥＮ」ｄの文字が見える。
【００１８】
図１ｃ（ａ）に示す遊戯用コイン１０は、中央部分に店名１１、ロゴ、模様等の図柄を刻印する部分１４を形成し、その周りに、凸状輪郭部１３を除いて潜像加工１２を行ったものである。この中央部分は、図示のように、楕円形としたり、円形としたり、四角形としたり、菱形としたり、図１ｄに示す両端に至る帯形等と各種の形状とし得る。その潜像加工１２は、上記と同様に、店名、ロゴ、模様等の各種の図柄と任意である。また、刻印部分１４も、上記と同様に、店名１１、ロゴ、模様等の各種の図柄と任意である。
【００１９】
この図１ｃ（ａ）に示す実施例では、上斜めから見た場合には、同図（ｂ）に示すように、その潜像加工１２を行ったエリアに「クローバ模様」ｅの図柄が見え、下斜めから見た場合には、「音符模様」ｆの図柄が見える。図１ｄに示す実施例では、上斜めから見た場合には、図１ｃ（ｂ）に示す「クローバ模様」ｅの図柄が見え、下斜めから見た場合には、上側に「ＴＯＫＥＮ」、下側に「トーケン」の文字ｄ、ｄ’が見える。
【００２０】
以上の各遊戯用コイン１０は、硬貨（何の加工もされていない平板円盤）をプレスして表面に模様を表すための金型（以下プレス金型と称する。）の表面に、マシニングセンターなどの工作機械を用い、図１ａ〜図１ｄに示す潜像加工を施した遊戯用コイン１０の各実施例デザインを、直接切削加工する。この時、潜像部１２にあたる細い凸条１２ａ群の斜側面への凹凸部も同時に加工を施す。その後、一般的なデザインを有するコイン用プレス金型と同一工程を経て、この金型を用いてプレスで前記硬貨(平板円盤）に刻印して、遊戯用コイン１０を製造する。
なお、直接に切削加工を施す工作機械の変わりに、レーザー加工機（レーザー彫刻機）等を用い、プレス金型の製造を行っても良い。また、原金型を製作し、プレス機を使ってその金型から銅にデザインを転写させ（以下、電極と称する。）、放電加工機を用いて、その電極から、プレス型へデザインを転写してもよい。
【００２１】
以上の各種の製造方法により潜像加工された遊戯用コイン１０は、斬新さが有り、顧客の注意を惹く物である。よって、店名を潜像とすれば、他店舗コインとの峻別、偽造コインの不正使用を防ぐための遊戯用コインとして、より確実な識別標識となる。潜像加工される図柄には、上述のように、文字１１、各種の模様、図形１１ａ等が全て含まれ、それらの少なくとも１つで構成される。
また、上記潜像加工１２は遊戯用コイン１０の一方の表面のみでも、両表面にも設けることができる。さらに、表裏面を対称図柄とすることもできる。
【００２２】
なお、上記潜像加工１２は、上記の態様及び形成方法に限らず、上記の「コイン表面に形成した無数の線により、見る角度によって起こる明暗の差を利用して、像を見え隠れする」態様であれば、すなわち、微細な窪み、又は盛上りを集合させることによって、多様な模様表現を行うと共に、潜像を多彩かつ滑らかに変化させ、グラデーション化させるもの等を採用できることは勿論である。また、その像が見え隠れする方向も、図１各図における「上斜め」、「下斜め」に限らず、「左斜め」、「右斜め」、「上左（上下を南北とすると、北西）斜め」、「下右斜め」等と全周囲の斜め方向を任意に選択することができる。
【００２３】
図２には、二つの金属部材から成る遊戯用コイン（異形バイメタルコイン）２０の各実施例を示し、各（ａ）〜（ｃ）は、それぞれ、中央の真鍮製部材２１を、「花形」（同図（ａ））、「星形」（同（ｂ））、「ハート形」（同（ｃ））とした遊戯用コイン２０である。この中央部材２１の形状はそれら以外に、例えば、スペード、ダイヤ、クローバ、バラ、四角形、三角形等と任意である。
外側のＳＵＳ３０４又はＳＵＳ４３０製部材２２には、上記と同様に、店名２３、ロゴ、各種の図柄、模様等の任意の図柄を凸状に刻印する。図中、２４は凸状輪郭である。
【００２４】
この遊戯用コイン２０は、中央部材２１と外側部材２２を別々に加工し、その外側部材２２の中孔（中央部材２１と同一大きさ・形状）に中央部材２１を押し嵌めて一体化する（コイン形状に組み合わせる）。そのとき、両部材２１、２２に刻印、メッキ、研削等の処理（加工）を施す場合には、その加工を一体化前に行う。２部材に別々の加工を施す事は、過去の加工法に比べ、斬新さが有り、顧客の注意を惹く物である。よって、他店舗コインとの峻別、偽造コインの不正使用等を防ぐための遊戯用コインとして、より確実な識別標識となる。なお、図２（ｂ）の遊戯用コイン２０では、組み合わせ後に、鏃状の図柄２５を刻印している。
【００２５】
この両部材２１、２２の一方、又は両方に上記潜像加工１２を行うこともできる。また、この遊戯用コイン２０は、両部材２１、２２の表裏面模様が対称となるが、文字２３、模様等も対称としたり、他の模様等の図柄としたりすることができる。また、三つ以上の金属部材でもってこの遊戯用コイン２０を作ることもできる。この場合、一の部材に残りの部材が押し嵌めされる。
【００２６】
図３には、周側面に店名３１、ロゴ、模様等の各種の図柄の任意のものを刻印した（レタリングした）遊戯用コイン（レタリング・コイン）３０を示す。
【００２７】
この遊戯用コイン３０は、その表裏面に上記潜像加工１２を施しても良いが、図示のように、店名等の文字３２、ロゴ、図形３３等の任意の図柄を刻印（凸状又は凹状）したものとすることができる。その表裏面は対称図柄としたり、異なる図柄としたりすることもできる。図中、３４は凸状の輪郭部である。
【００２８】
以上の潜像加工、異なる金属、周側面への図柄の刻印はそれぞれを選択的に併用することができることは勿論であり、例えば、図４に示す遊戯用コイン４０とする。このコイン４０は、共に、円形の二つの金属部材（ＳＵＳ３０４、真鍮製）４１、４２から成り、その両者４１、４２を嵌め合わせて一体化した後、ＳＵＳ３０４製中央部材４１に馬模様４３を刻印するとともに、その周りの両部材４１、４２に潜像加工４４を施し、更に周側面に刻印４５を施したものである。図中、４６は輪郭部である。
【図面の簡単な説明】
【００２９】
【図１ａ】（ａ）は潜像加工を施した一実施例の正面図、（ｂ）は一方向から見て確認できる潜像図、（ｃ）は他方向から見て確認できる潜像図
【図１ｂ】（ａ）は潜像加工を施した他の実施例の正面図、（ｂ）は一方向から見て確認できる潜像図、（ｃ）は他方向から見て確認できる潜像図
【図１ｃ】（ａ）は潜像加工を施した他の実施例の正面図、（ｂ）は一方向から見て確認できる潜像図、（ｃ）は他方向から見て確認できる潜像図
【図１ｄ】潜像加工を施した他の実施例の正面図
【図２】（ａ）〜（ｃ）は二種の金属部材からなる各実施例の正面図
【図３】（ａ）は周側面に刻印した一実施例の正面図、（ｂ）は側面図、（ｃ）は側面展開図
【図４】（ａ）は二種の金属部材からなり、潜像加工、周側面に刻印した実施例の正面図、（ｂ）は側面図、（ｃ）は側面展開図
【符号の説明】
【００３０】
１０、２０、３０、４０  遊戯用コイン
１１、３２  文字
１２、４４  潜像加工
１２ａ  潜像加工用凸条
１３、２４、３４、４６  輪郭部
１４  刻印部分
２１、２２、４１、４２  金属部材
２３、３１、４５  店名
３３、４３  図形
ａ、ｂ、ｃ、ｄ、ｄ’、ｅ、ｆ  潜像
【図１ａ】
2009189479.tif 000003
【図１ｂ】
2009189479.tif 000004
【図１ｃ】
2009189479.tif 000005
【図２】
2009189479.tif 000006
【図３】
2009189479.tif 000007
【図１ｄ】
2009189479.tif 000008
【図４】
2009189479.tif 000009